(57)【要約】【課題】  正しくない用紙補給や用紙種類の変更等が行われた状態での後のユーザによる印刷ミスを未然に防止することができる画像形成装置等を提供する。【解決手段】 ログインしているユーザを特定するユーザ特定手段１０１と、給紙トレイ７１〜７４の操作、用紙補給または用紙種類の変更の少なくともいずれか１つが行われた時にログインしているユーザの情報が記憶手段１０３に記憶される。前記給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことが通知手段１０６に通知される。【選択図】  図３
2010039111.tif 000002
【特許請求の範囲】
【請求項１】
ログインしているユーザを特定するユーザ特定手段と、
給紙トレイの操作、用紙補給または用紙種類の変更の少なくともいずれか１つが行われた時にログインしているユーザの情報を記憶する記憶手段と、
前記給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことを通知する通知手段と、
を備えたことを特徴とする画像形成装置。
【請求項２】
ログインしているユーザを特定するユーザ特定手段と、
給紙トレイの操作、用紙補給または用紙種類の変更の少なくともいずれか１つが行われた時にログインしているユーザの情報を記憶する記憶手段と、
前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知する通知手段と、
を備えたことを特徴とする画像形成装置。
【請求項３】
ログインしているユーザを特定するステップと、
給紙トレイの操作、用紙補給または用紙種類の変更の少なくともいずれか１つが行われた時にログインしているユーザの情報を記憶手段に記憶するステップと、
前記給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことを通知するステップと、
を備えたことを特徴とする画像形成装置における情報通知方法。
【請求項４】
ログインしているユーザを特定するステップと、
給紙トレイの操作、用紙補給または用紙種類の変更の少なくともいずれか１つが行われた時にログインしているユーザの情報を記憶手段に記憶するステップと、
前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知するステップと、
を備えたことを特徴とする画像形成装置における情報通知方法。
【請求項５】
ログインしているユーザを特定するステップと、
用紙補給または用紙種類の変更が行われた時にログインしているユーザの情報を記憶手段に記憶するステップと、
前記用紙補給または用紙種類の変更が行われた後において、前記情報が記憶されたユーザ以外のユーザの初回ログイン時に、用紙補給または用紙種類の変更が行われたことを通知するステップと、
を画像形成装置のコンピュータに実行させるための情報通知プログラム。
【請求項６】
ログインしているユーザを特定するステップと、
給紙トレイの操作、用紙補給または用紙種類の変更の少なくともいずれか１つが行われた時にログインしているユーザの情報を記憶手段に記憶するステップと、
前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知するステップと、
を画像形成装置のコンピュータに実行させるための情報通知プログラム。
【発明の詳細な説明】
【技術分野】
【０００１】
この発明は、複写機、プリンタ、多機能デジタル複合機であるＭＦＰ（Multi Function Peripherals）等の画像形成装置、同装置において用紙補給や用紙種類の変更等が行われたことを通知する情報通知方法及び情報通知プログラムに関する。
【背景技術】
【０００２】
上記のような画像形成装置において、裏紙設定ではない両面可能な用紙がセットされているべき給紙口に裏紙が補給されたり、設定変更された用紙種類とセットされている用紙の状態が合致しないことがしばしば見受けられる。
【０００３】
そのような状態のまま放置され、後のユーザがその給紙口を用いる印刷を行った場合、印刷ミスとなってしまう。
【０００４】
なお、特許文献１には、給紙カセットの開閉が検知された場合に、これに応じて用紙の種類を変更したか否かを確認するメッセージを前記操作パネルに出力し、用紙の種類を変更した旨の信号入力があれば、これに応じて用紙の種類を設定する用紙設定画面に移行するシーケンスを実行する画像形成装置が記載されている。
【０００５】
また、特許文献２には、用紙種類が変更された後、実際に用紙交換が行われるまで用紙種類変更を有効にしない画像形成装置が記載されている。
【特許文献１】特開２００６−１８４７６０号公報
【特許文献２】特開平１１−３４９１５０号公報
【発明の開示】
【発明が解決しようとする課題】
【０００６】
しかし、特許文献１及び２に記載された技術は、正しくない用紙補給や用紙種類の変更が等行われた状態で、後のユーザが印刷を行った場合の印刷ミスを防止する技術ではなかった。
【０００７】
この発明は、このような技術的背景に鑑みてなされたものであって、正しくない用紙補給や用紙種類の変更等が行われた状態での後のユーザによる印刷ミスを未然に防止することができる画像形成装置を提供し、さらには同装置において用紙補給や用紙種類の変更等が行われたことを通知する情報通知方法及び情報通知プログラムの提供を課題とする。
【課題を解決するための手段】
【０００８】
上記課題は以下の手段によって解決される。
［１］ログインしているユーザを特定するユーザ特定手段と、給紙トレイの操作、用紙補給または用紙種類の変更の少なくともいずれか１つが行われた時にログインしているユーザの情報を記憶する記憶手段と、前記給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことを通知する通知手段と、を備えたことを特徴とする画像形成装置。
［２］ログインしているユーザを特定するユーザ特定手段と、給紙トレイの操作、用紙補給または用紙種類の変更の少なくともいずれか１つが行われた時にログインしているユーザの情報を記憶する記憶手段と、前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知する通知手段と、を備えたことを特徴とする画像形成装置。
［３］ログインしているユーザを特定するステップと、給紙トレイの操作、用紙補給または用紙種類の変更の少なくともいずれか１つが行われた時にログインしているユーザの情報を記憶手段に記憶するステップと、前記給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことを通知するステップと、を備えたことを特徴とする画像形成装置における情報通知方法。
［４］ログインしているユーザを特定するステップと、給紙トレイの操作、用紙補給または用紙種類の変更の少なくともいずれか１つが行われた時にログインしているユーザの情報を記憶手段に記憶するステップと、前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知するステップと、を備えたことを特徴とする画像形成装置における情報通知方法。
［５］ログインしているユーザを特定するステップと、用紙補給または用紙種類の変更が行われた時にログインしているユーザの情報を記憶手段に記憶するステップと、前記用紙補給または用紙種類の変更が行われた後において、前記情報が記憶されたユーザ以外のユーザの初回ログイン時に、用紙補給または用紙種類の変更が行われたことを通知するステップと、を画像形成装置のコンピュータに実行させるための情報通知プログラム。
［６］ログインしているユーザを特定するステップと、給紙トレイの操作、用紙補給または用紙種類の変更の少なくともいずれか１つが行われた時にログインしているユーザの情報を記憶手段に記憶するステップと、前記給紙トレイの操作、用紙補給または用紙種類の変更の少なくともいずれか１つが行われた後において、前記情報が記憶されたユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知するステップと、を画像形成装置のコンピュータに実行させるための情報通知プログラム。
【発明の効果】
【０００９】
前項［１］に記載の発明によれば、給紙トレイの操作、用紙補給または用紙種類の変更の少なくともいずれか１つが行われた後において、前記操作、用紙補給、用紙種類の変更を行ったユーザ以外のユーザの初回ログイン時に、給紙トレイの操作、用紙補給または用紙種類の変更が行われたことが通知手段により通知される。つまり、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００１０】
前項［２］に記載の発明によれば、給紙トレイの操作、用紙補給または用紙種類の変更の少なくともいずれか１つが行われた後において、前記操作、用紙補給、用紙種類の変更を行ったユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことが通知手段により通知される。つまり、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００１１】
前項［３］に記載の発明によれば、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００１２】
前項［４］に記載の発明によれば、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００１３】
前項［５］に記載の発明によれば、給紙トレイの操作、用紙補給または用紙種類の変更の少なくともいずれか１つが行われた後において、前記操作、用紙補給、用紙種類の変更を行ったユーザ以外のユーザの初回ログイン時に、給紙トレイの操作、用紙補給または用紙種類の変更が行われたことを通知する処理を、画像形成装置のコンピュータに実行させることができる。
【００１４】
前項［６］に記載の発明によれば、給紙トレイの操作、用紙補給または用紙種類の変更の少なくともいずれか１つが行われた後において、前記操作、用紙補給、用紙種類の変更を行ったユーザ以外のユーザが、給紙トレイの操作、用紙補給または用紙種類の変更の対象給紙口を使用するモードを初めて設定したとき、または前記設定したモードの実行指示を初めて行ったときに、給紙トレイの操作、用紙補給または用紙種類の変更が行われたことを通知する処理を、画像形成装置のコンピュータに実行させることができる。
【発明を実施するための最良の形態】
【００１５】
以下、この発明の一実施形態を、ディジタルフルカラーＭＦＰ（以下、単に「ＭＦＰ」という）に適用した例について説明する。
【００１６】
図1は、ＭＦＰlの全体の構成を示す図である。同図に示すようにＭＦＰlは、原稿画像を読み取るイメージリーダ部１０と、読み取った画像を記録シート上にプリントして再現するプリンタ部２０とから構成されている。
【００１７】
イメージリーダ部１０は、原稿ガラス板（不図示）に載置された原稿の画像をスキャナを移動させて読み取る公知のものであって、スキャナに設置された露光ランプの照射により得られた原稿画像は、集光レンズにより結像され、さらに分光器によりレッド（Ｒ）、グリーン（Ｇ）、ブルー（Ｂ）の３種類の波長の光に分光されて、それぞれレッド用ＣＣＤイメージセンサ、グリーン用ＣＣＤイメージセンサ、ブルー用ＣＣＤイメージセンサに入射される。各ＣＣＤイメージセンサ（以下、「ＣＣＤセンサ」という）からの出力信号は、ＡＤ変換され、これにより原稿のＲ、Ｇ、Ｂの画像データが得られる。
【００１８】
このイメージリーダ部１０で得られた各色成分毎の画像データは、制御部３０において各種のデータ処理を受け、更にシアン（Ｃ）、マゼンタ（Ｍ）、イエロー（Ｙ）、ブラック（Ｋ）の各再現色の画像データに変換される（以下、シアン、マゼンタ、イエロー、ブラックの各再現色をＣ、Ｍ、Ｙ、Ｋと表し、各再現色に関連する構成部分の番号にこのＣ、Ｍ、Ｙ、Ｋを添字として付加する）。
【００１９】
画像データは、制御部３０内の画像メモリに各再現色ごとに格納され、位置ずれ補正のための必要な画像補正を受けた後、記録シートの供給と同期して１走査ラインごとに読み出されてレーザダイオードの駆動信号となる。プリンタ部２０は、周知の電子写真方式により画像を形成するものであって、転写ベルト４１が張架されてなる記録シート搬送部４０と、転写ベルト４１に対向して記録シート搬送方向上流側（以降、単に「上流側」という）から搬送方向下流側（以降、単に「下流側」という）に沿って所定間隔で配置されたＣ、Ｍ、Ｙ、Ｋの各色の画像プロセス部５０Ｍ〜５０Ｋと、各画像プロセス部ごとに設けられた露光走査部６０Ｍ〜６０Ｋと、記録シート搬送部４０の上流側に記録シートを給送する給紙部７０と、下流側に配置された定着部８０とからなる。
【００２０】
露光走査部６０Ｍ〜６０Ｋは、それぞれ上記制御部３０から出力された駆動信号を受けてレーザ光を発するレーザダイオードや、このレーザ光を偏向して感光体ドラム５１Ｍ〜５１Ｋ上を主走査方向に露光走査させるためのポリゴンミラー等を備える。画像プロセス部５０Ｍ〜５０Ｋは、感光体ドラム５１Ｍ〜５１Ｋと、その周囲に配設された帯電チャージャ５２Ｍ〜５２Ｋ、現像器５３Ｍ〜５３Ｋおよび転写チャージャ５４Ｍ〜５４Ｋなどからなり、メンテナンスが容易なようにユニット化されて1個のケーシング内に収納されている。
【００２１】
給紙部７０は、サイズの異なる記録シートを収納する給紙トレイ７１〜７４と、この記録シートを各給紙トレイから繰り出すためのピックアップローラ７５〜７８、転写ベルト４１に送り出すタイミングをとるためのレジストローラ７９などからなり、また用紙の有無、及び給紙トレイの引き出し／セットを検知するセンサ７１０〜７４０などからなる。感光体ドラム５１Ｍ〜５１Ｋは、前記露光を受ける前に不図示のクリーナで表面の残存トナーが除去され、同じく不図示のイレーサランプに照射されて除電された後、帯電チャージャ５２Ｍ〜５２Ｋにより一様に帯電されており、このように一様に帯電した状態で上記レーザ光による露光を受けると、感光体ドラム５１Ｍ〜５１Ｋの表面に静電潜像が形成される。
【００２２】
各静電潜像は、それぞれ各色の現像器５３Ｍ〜５３Ｋにより現像され、これにより感光体ドラム５１Ｍ〜５１Ｋ表面にＭ、Ｃ、Ｙ、Ｋのトナー像が形成され、各転写位置において転写ベルト４１の裏面側に配設された転写チャージャ５４Ｍ〜５４Ｋの静電的作用により、記録シート搬送部４０により搬送されてくる記録シート上に順次転写されていく。
【００２３】
この際、各色の作像動作は、そのトナー像が搬送されてくる記録シートの同じ位置に重ね合わせて転写されるように、上流側から下流側に向けてタイミングをずらして実行される。各色のトナー像が多重転写された記録シートは、転写ベルト４１により定着部８０にまで搬送される。定着部８０の定着ローラ８０１は内部ヒータを備え、制御部３０は、定着ローラ８０１の表面温度を温度検出センサＳＥ１０で検出しながら内部ヒータヘの通電を制御して所定の定着温度に維持する。記録シートは、ここで高熱で加圧され、その表面のトナー粒子がシート表面に融着して定着された後、排紙トレイ８１上に排出される。
ちなみに、定着部８０は交換可能なユニット構成（以下、定着部ユニット）である。
【００２４】
従動ローラ４３のほぼ下方の位置には、転写ベルト４１表面に当接して、後述する位置ずれ量検出時に転写ベルト４１に転写されたレジストマークのトナーを除去するクリーニングブレード４９が配設されている。なお、イメージリーダ部１０の前面の操作しやすい位置には、操作パネル９０が設けられており、ここから操作者がコピー開始の指示やコピー枚数の設定、プリントモードの指定などのキー入力を行う。このＬＣＤパネル１０６には、液晶表示板などで構成された表示部が設けられ、操作者により設定されたコピーモードや各種のメッセージを表示するようになっている。
【００２５】
また、装置筐体１１のプリンタ部２０の前面部分には、開閉可能な前ドア２１が設けられており、この前ドアを前方に開放して、用紙搬送系に紙詰まり（ジャム）が生じたときにジャム紙を取り除き、あるいは、トナーの補給などのメンテナンスが実行できるようになっている。この前ドア２１が開放されるとリミットスイッチやスライドスイッチからなるドア開放検知センサＳＥ３で検出され、その検出信号は制御部３０に送られる。
【００２６】
その他のＳＥ４〜ＳＥ９は、反射型光電センサやリミットスイッチなどからなるジャムセンサであり、制御部３０は、各ジャムセンサＳＥ３〜ＳＥ９において、通過する記録シートの前縁を検出してから所定時間経過してもその後縁が検出されないときや、上流側のジャムセンサが記録シートの後縁を検出してから所定時間経過しても下流側のジャムセンサで当該記録シートの前縁が検出されない場合に紙詰まり（ジャム）が発生したと判断するようになっている。
【００２７】
また、装置筐体１１右側面のほぼ中央の位置には、メインの電源スイッチ２２が設けられている。記録シート搬送部４０は、転写ベルト４１と、同ベルトが張架される駆動ローラ４２，従動ローラ４３、テンションローラ４４および補助ローラ４５などからなる。
【００２８】
駆動ローラ４２は、従動ローラ４３の回転軸を中心として上下に揺動可能に保持された揺動フレーム４６の右端部に回転可能に保持される。この駆動ローラ４２は、揺動フレーム４６に設置されたステッピングモータ（不図示）により回転駆動され、その回転速度は、転写ベルト４１の搬送面が感光体ドラム５１Ｍ〜５１Ｋの周速（システムスピード）と同じ速度となるように制御部３０によって制御される。
【００２９】
カラープリントモードを実行する時には、全感光体ドラム５１Ｍ〜５１Ｋと転写ベルト４１の記録シート搬送面とを接触させる（図１、４１の実線）。一方、単色プリントモード時は、画像形成に関与しない感光体ドラム５１Ｍ〜５１Ｋと転写ベルト４１の搬送面を離間させる（図１、４１の点線）。これにより、単色プリントモード時に、感光体ドラム５１Ｍ〜５１Ｙを停止させても、転写ベルト４１との間で摩擦が生じたりせず、画像形成に悪影響を与えることなしに、当該感光体ドラムの感光面やその周辺部材の無駄な消耗を阻止することができる。各感光体ドラムも交換可能なユニット構成（以下、イメージングユニット）である。
【００３０】
図２はＭＦＰの操作部の回路構成を示すブロック図である。
【００３１】
１０１は、操作部全体の制御を行うパネルＣＰＵであり、ＭＦＰ全体を制御するＭＦＰ本体システム制御部１００との通信を行っている。
【００３２】
１０２は、操作部制御プログラムと複数の表示画像を記憶しているＲＯＭであり、１０３は、パネルＣＰＵ１０１のワークメモリである。
【００３３】
１０４は、ＬＣＤ制御部であり、ＶＲＡＭ１０５のリードライト制御を行い、ＬＣＤパネル部１０６への画像表示制御を行っている。ＲＯＭ１０２に記憶された画像を、パネルＣＰＵ１０１によりＬＣＤ制御部１０４を介してＶＲＡＭ１０５に記憶された後、今度は読み出されてＬＣＤパネル部１０６に出力される。
【００３４】
また、ＬＣＤパネル部１０６はタッチパネル構成になっており、直接触れることによりその位置を入出力制御部１１１により判断し、画面上のどの機能が選択されたかをパネルＣＰＵ１０１に通信し、機能設定等の入力制御を行う。
【００３５】
ハードキー操作部１０８は、スタートキーやテンキー、パネルリセットキー等で構成されるハードキーや、マシンの状態を示すＬＥＤや、ハードキーやＬＣＤパネル部で入力が行われた旨を通知させるためのブザー等から構成されている。
【００３６】
また、ハードキー操作部１０８は、入出力制御部１１１によって制御され、必要に応じてパネルＣＰＵ１０１を介してシステム制御部１００との通信を行う。
【００３７】
ハードキー操作部１０８内のスタートキーの押下により、入出力制御部１１１、パネルＣＰＵ１０１を介してシステム制御部１００に通信され、一連の複写動作を開始する。
【００３８】
前記定着部ユニットや、各色のイメージングユニットなどのユニットは、複写／印字による使用回数（ライフカウンタ）により、ニアライフ、ライフ等の状態を決定している。それらは、各ユニットがカウント値をバックアップし、そのカウント値により状態をシステム制御部１００に通知する。
【００３９】
また、ログイン時、ユーザがハードキー操作部１０８により、ユーザＩＤ、パスワード等の認証情報を入力すると、パネルＣＰＵ１０１は図示しない外部認証装置に、入力された認証情報を送信し、外部認証装置からの認証結果を得て、認証成功であればログインを許可する。これにより、パネルＣＰＵ１０１は、現在ログインしているユーザを特定することができるものとなされている。なお、認証は外部認証でなく、画像形成装置の内部で認証を行う内部認証であっても良い。
【００４０】
ユーザの認証管理時に、メモリ１０３には、電源スイッチ２２がＯＮされてからの各給紙トレイ７１〜７４の下記のフラグ及びユーザの情報が格納される。
（１）給紙トレイが引き抜かれたのちセットされた（ＹＥＳ）か、否（ＮＯ）かを表すフラグ。ＹＥＳの場合、それを行ったユーザ。
（２）用紙エンプティ状態から用紙補給された（ＹＥＳ）か、否（ＮＯ）かを表すフラグ。ＹＥＳの場合、それを行ったユーザ。
（３）用紙種類が変更された（ＹＥＳ）か、否（ＮＯ）かを表すフラグ。ＹＥＳの場合、それを行ったユーザ。
【００４１】
（１）〜（３）におけるフラグがＹＥＳに変化したとき、下記（４）のフラグをセットする。
（４）各ユーザ毎に、各給紙トレイについて、（１）の通知（給紙トレイが操作されたことの通知）、（２）の通知（用紙が補給されたことの通知）、（３）の通知（用紙種類が変更されたことの通知）が必要か否かを表すフラグ（以下、通知フラグともいう）。
【００４２】
また、（１）〜（３）のフラグがＹＥＳのときに再度同じ行為が行われた場合、（４）の対象通知フラグをONにする。
【００４３】
また、電源ＯＦＦ時に、（１）〜（４）それぞれのフラグをクリア（ＯＦＦ）にするとともに、給紙トレイの操作等を行ったユーザの情報もクリアする。
【００４４】
図３は、上記（１）と（４）の情報を用いて、給紙トレイの引き抜き操作が行われたことをユーザに通知するか否かの通知判断処理を示すフローチャートである。
【００４５】
この処理は、パネルＣＰＵ１０１が、ＲＯＭ１０２に記録された動作プログラムに従って動作することにより実行される。
【００４６】
また、図３のフローチャートにおいて、前記（１）に対応する数字を丸数字の１で示す。
【００４７】
ステップＳ３−１で、ユーザのログインを認めると、ステップＳ３−２で、給紙トレイ１について、（１）のフラグがＹＥＳかどうか、換言すれば給紙トレイ１が引き抜かれたのち再セットされたかどうかが判断される。
【００４８】
再セットされたのであれば（ステップＳ３−２でＹＥＳ）、ステップＳ３−３で、ログインしているユーザが再セットを実施したかどうかを判断する。ログインしているユーザが再セットを実施したのでなければ（ステップＳ３−３でＮＯ）、ステップＳ３−４で、給紙トレイ１についてログインしているユーザへの通知フラグ（前記（４）のフラグ）がセットされている（ＯＮ）かどうかを判断する。
【００４９】
ログインユーザへの通知フラグがセットされていれば（ステップＳ３−４でＹＥＳ）、ステップＳ３−５で、給紙トレイ１をログインユーザへの通知対象と判定した後、ステップＳ３−６で、ログインユーザへの通知フラグをリセット（ＯＦＦ）する。そして、ステップＳ３−７で、通知対象トレイ１についてＬＣＤパネル部１０６に確認画面を表示する。
【００５０】
一方、ステップＳ３−２で、給紙トレイ１について、（１）のフラグがＹＥＳでない場合（ステップＳ３−２でＮＯ）、ステップＳ３−３で、ログインしているユーザが再セットした場合（ステップＳ３−３でＹＥＳ）、ステップＳ３−４で、給紙トレイ１についてログインしているユーザへの通知フラグがＯＮでない場合（ステップＳ３−４でＮＯ）、いずれもステップＳ３−１０に進む。
【００５１】
ステップＳ３−１０では、給紙トレイ２について、（１）のフラグがＹＥＳかどうかが判断される。ＹＥＳであれば（ステップＳ３−１０でＹＥＳ）、ステップＳ３−１１で、ログインしているユーザが再セットを実施したかどうかを判断する。ログインしているユーザが再セットを実施したのでなければ（ステップＳ３−１１でＮＯ）、ステップＳ３−１２で、給紙トレイ２についてログインしているユーザへの通知フラグがＯＮかどうかを判断する。
【００５２】
ログインユーザへの通知フラグがＯＮであれば（ステップＳ３−１２でＹＥＳ）、ステップＳ３−１３で、給紙トレイ２をログインユーザへの通知対象と判定した後、ステップＳ３−１４で、ログインユーザへの通知フラグをＯＦＦにする。そして、ステップＳ３−７に進み、通知対象トレイ２についてＬＣＤパネル部１０６に確認画面を表示する。
【００５３】
一方、ステップＳ３−１０で、給紙トレイ２について、（１）のフラグがＹＥＳでない場合（ステップＳ３−１０でＮＯ）、ステップＳ３−１１で、ログインしているユーザが再セットした場合（ステップＳ３−１１でＹＥＳ）、ステップＳ３−１２で、給紙トレイ２についてログインしているユーザへの通知フラグがＯＮでない場合（ステップＳ３−１２でＮＯ）、いずれもステップＳ３−１５に進む。
【００５４】
ステップＳ３−１５では、給紙トレイ３について、（１）のフラグがＹＥＳかどうかが判断される。ＹＥＳであれば（ステップＳ３−１５でＹＥＳ）、ステップＳ３−１６で、ログインしているユーザが再セットを実施したかどうかを判断する。ログインしているユーザが再セットを実施したのでなければ（ステップＳ３−１６でＮＯ）、ステップＳ３−１７で、給紙トレイ２についてログインしているユーザへの通知フラグがＯＮかどうかを判断する。
【００５５】
ログインユーザへの通知フラグがＯＮであれば（ステップＳ３−１７でＹＥＳ）、ステップＳ３−１８で、給紙トレイ３をログインユーザへの通知対象と判定した後、ステップＳ３−１９で、ログインユーザへの通知フラグをＯＦＦにする。そして、ステップＳ３−７に進み、通知対象トレイ３についてＬＣＤパネル部１０６に確認画面を表示する。
【００５６】
一方、ステップＳ３−１５で、給紙トレイ３について、（１）のフラグがＹＥＳでない場合（ステップＳ３−１５でＮＯ）、ステップＳ３−１６で、ログインしているユーザが再セットした場合（ステップＳ３−１６でＹＥＳ）、ステップＳ３−１７で、給紙トレイ３についてログインしているユーザへの通知フラグがＯＮでない場合（ステップＳ３−１７でＮＯ）、いずれもステップＳ３−２０に進む。
【００５７】
ステップＳ３−２０では、給紙トレイ４について、（１）のフラグがＹＥＳかどうかが判断される。ＹＥＳであれば（ステップＳ３−２０でＹＥＳ）、ステップＳ３−２１で、ログインしているユーザが再セットを実施したかどうかを判断する。ログインしているユーザが再セットを実施したのでなければ（ステップＳ３−２１でＮＯ）、ステップＳ３−２２で、給紙トレイ４についてログインしているユーザへの通知フラグがＯＮかどうかを判断する。
【００５８】
ログインユーザへの通知フラグがＯＮであれば（ステップＳ３−２２でＹＥＳ）、ステップＳ３−２３で給紙トレイ４をログインユーザへの通知対象と判定した後、ステップＳ３−２４で、ログインユーザへの通知フラグをＯＦＦにする。そして、ステップＳ３−７に進み、通知対象トレイ４についてＬＣＤパネル部１０６に確認画面を表示する。
【００５９】
一方、ステップＳ３−２０で、給紙トレイ４について、（１）のフラグがＹＥＳでない場合（ステップＳ３−２０でＮＯ）、ステップＳ３−２１で、ログインしているユーザが再セットした場合（ステップＳ３−２１でＹＥＳ）、ステップＳ３−２２で、給紙トレイ４についてログインしているユーザへの通知フラグがＯＮでない場合（ステップＳ３−２２でＮＯ）、いずれもステップＳ３−９に進む。
【００６０】
ステップＳ３−７で表示される確認画面の一例を図４に示す。この確認画面では、対象の給紙トレイの用紙がセットしなおされた可能性がある旨を通知する。図4では、トレイ１とトレイ３が引き抜き後にセットされたことが示されている。
【００６１】
確認画面において、ユーザにより「確認」ボタンが押されると（ステップＳ３−８でＹＥＳ）、ステップＳ３−９で、コピー等を設定する初期画面に遷移する。
【００６２】
また、前記（２）の用紙エンプティ状態から用紙補給されたことを通知する場合、図３のフローチャートにおいて（１）を（２）に置き換えた形となり、その場合のログイン直後の確認画面を図５に示す。図５では、トレイ１とトレイ３に用紙が補給されたことが示されている。
【００６３】
また、。前記（３）の用紙種類が変更されたことを通知する場合、図３のフローチャートにおいて（１）を（３）に置き換えた形となり、その場合のログイン直後の確認画面を図６に示す。図６では、トレイ１とトレイ３の用紙種類が変更されたことが示されている。
【００６４】
また、給紙トレイが操作されたこと、用紙エンプティ状態から用紙補給されたこと、用紙種類が変更されたことを、併せて判断して通知する構成としても良い。
【００６５】
また、図４〜図６の確認画面は、ログイン後コピー等を設定する初期画面が表示されるまでの間に表示されるものとしたが、ログイン後の初期画面の一部に、確認メッセージを表示することで、通知する構成としても良い。この場合の初期画面の例を図７に示す。
【００６６】
図７では、「コピーを行う」「スキャンを行う」「ＦＡＸを行う」という通常のモード設定画面に、通知対象の給紙トレイの用紙種類が変更されたこと等を示すメッセージが表示されている。このメッセージは、何らかのキー操作で表示を消去されても良いし、一定時間経過後に表示を消去されても良い。
【００６７】
このように、給紙トレイの操作、用紙補給または用紙種類の変更の少なくともいずれか１つが行われた後において、前記情報が記憶されたユーザ以外のユーザの初回ログイン時に、給紙トレイの操作、用紙補給または用紙種類の変更が行われたことが確認画面により通知される。つまり、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００６８】
図８は、この発明の他の実施形態を示すもので、前述した（２）と（４）の情報を用いて、給紙トレイに用紙補給がなされたことをユーザに通知するか否かの通知判断処理を示すフローチャートである。
【００６９】
この処理は、パネルＣＰＵ１０１が、ＲＯＭ１０２に記録された動作プログラムに従って動作することにより実行される。
【００７０】
また、図８のフローチャートにおいて、前記（２）（４）に対応する数字を丸数字の２、４で示す。
【００７１】
ステップＳ８−１で、ユーザのログインを認めると、ステップＳ８−２で、ユーザによるモード設定を受け付け、ステップＳ８−３で、給紙トレイの選択を受け付ける。
【００７２】
次に、ステップＳ８−４で、選択された給紙トレイについて、（２）のフラグがＹＥＳかどうか、換言すれば用紙エンプティ状態から用紙補給されたかどうかが判断される。
【００７３】
用紙補給されたのであれば（ステップＳ８−４でＹＥＳ）、ステップＳ８−５で、ログインしているユーザが用紙補給を実施したかどうかを判断する。ログインしているユーザが用紙補給を実施したのでなければ（ステップＳ８−５でＮＯ）、ステップＳ８−６で、選択された給紙トレイについて、ログインしているユーザへの通知フラグ（前記（４）のフラグ）がセットされている（ＯＮ）かどうかを判断する。
【００７４】
ログインユーザへの通知フラグがセットされていれば（ステップＳ８−６でＹＥＳ）、ステップＳ８−７で、ログインユーザへの通知フラグをリセット（ＯＦＦ）する。そして、ステップＳ８−８で、図５に示すように、通知対象トレイ（選択されたトレイ）についてＬＣＤパネル部１０６に確認画面を表示する。
【００７５】
確認画面において、ユーザにより「確認」ボタンが押されると（ステップＳ８−９でＹＥＳ）、ステップＳ８−１０で、給紙トレイ選択状態を確定し、元の画面に戻る。
【００７６】
また、前記（１）の給紙トレイが操作されたことを通知する場合、図８のフローチャートにおいて（２）を（１）に置き換えた形となり、前記（３）の用紙種類が変更されたことを通知する場合、図８のフローチャートにおいて（２）を（３）に置き換えた形となる。
【００７７】
図８に示した実施形態においても、給紙トレイが選択されると同時に設定画面の一部に確認メッセージを表示して通知するようにすることも考えられる。その画面例を図９に示す。用紙種類が変更されたトレイの場合の画面例を、図１０に示す。このメッセージは、何らかのキー操作で表示を消去されても良いし、一定時間経過後に表示を消去されても良い。
【００７８】
このように、給紙トレイの操作、用紙補給または用紙種類の変更の少なくともいずれか１つが行われた後において、給紙トレイの操作、用紙補給または用紙種類の変更を行ったユーザ以外のユーザが、給紙トレイの操作、用紙補給または用紙種類の変更の対象給紙口を使用するモードを初めて設定したときに、給紙トレイの操作、用紙補給または用紙種類の変更が行われたことが確認画面により通知される。つまり、給紙トレイの操作、用紙補給または用紙種類の変更の少なくともいずれか１つが行われた場合、その旨をその後の使用ユーザに通知することで、当該ユーザに正しい状態であるかの確認を促すことができ、印刷ミスの防止につなげることができる。
【００７９】
なお、図８の実施形態では、給紙トレイの操作、用紙補給または用紙種類の変更を行ったユーザ以外のユーザが、給紙トレイの操作、用紙補給または用紙種類の変更の対象給紙口を使用するモードを初めて設定したときに、給紙トレイの操作、用紙補給または用紙種類の変更が行われたことが確認画面により通知される構成とした。しかし、前記設定したモードの実行指示が初めて行われたときに、給紙トレイの操作、用紙補給または用紙種類の変更が行われたことが確認画面により通知される構成としても良い。
【００８０】
以上の実施形態では、給紙トレイの操作、用紙補給または用紙種類の変更の少なくともいずれか１つが行われたことを、画面表示により通知するものとしたが、音声等により通知するものとしても良い。
【図面の簡単な説明】
【００８１】
【図１】この発明の一実施形態に係る画像形成装置であるＭＦＰの全体の構成を示す図である。
【図２】ＭＦＰの操作部の回路構成を示すブロック図である。
【図３】給紙トレイの引き抜き操作が行われたことをユーザに通知するか否かの通知判断処理を示すフローチャートである。
【図４】給紙トレイが引き抜き後にセットされたことを通知するための確認画面である。
【図５】給紙トレイに用紙が補給されたことを通知するための確認画面である。
【図６】用紙種類が変更されたことを通知するための確認画面である。
【図７】ログイン後の初期画面の一部に、確認メッセージを表示する例を示す図である。
【図８】この発明の他の実施形態を示すもので、給紙トレイへの用紙補給が行われたことをユーザに通知するか否かの通知判断処理を示すフローチャートである。
【図９】給紙トレイが選択されると同時に設定画面の一部に、用紙補給がなされたことを示す確認メッセージを表示して通知する場合の画面例を示す図である。
【図１０】給紙トレイが選択されると同時に設定画面の一部に、用紙種類が変更されたことを示す確認メッセージを表示して通知する場合の画面例を示す図である。
【符号の説明】
【００８２】
７１〜７４  給紙トレイ
１００  ＭＦＰ本体システム制御部
１０１  パネルＣＰＵ
１０２  ＲＯＭ
１０６  ＬＣＤパネル部
【図１】
2010039111.tif 000003
【図２】
2010039111.tif 000004
【図３】
2010039111.tif 000005
【図４】
2010039111.tif 000006
【図５】
2010039111.tif 000007
【図６】
2010039111.tif 000008
【図７】
2010039111.tif 000009
【図８】
2010039111.tif 000010
【図９】
2010039111.tif 000011
【図１０】
2010039111.tif 000012